(57)【要約】【課題】携帯電子機器に搭載される便利機能に関する設定をできるだけ簡便に行うこと。【解決手段】１つの態様において、携帯電子機器（例えば、携帯電話１）は、操作を受け付ける複数のキーと、第１の機能が割り当てられたキーに、第２の機能を割り当てる操作を受け付けた場合には、第１の機能を他のキーに割り当てる制御部とを有する。携帯電子機器（例えば、携帯電話１）は、例えば、かんたん設定機能が割り当てられた第１ワンタッチキー４ａに、カメラ機能を割り当てる操作を受け付けた場合には、かんたん設定機能をダイヤルキー３ａに含まれるテンキーのいずれかに移動させて割り当てる。あるいは、携帯電子機器（例えば、携帯電話１）は、例えば、第２ワンタッチキー４ｂに別の機能が割り当て済みであっても、第２ワンタッチキー４ｂに対して、かんたん設定機能を上書きして強制的に割り当てる。【選択図】図１
2014168166.tif 000002
【特許請求の範囲】
【請求項１】
操作を受け付ける複数のキーと、
第１の機能が割り当てられたキーに、第２の機能を割り当てる操作を受け付けた場合には、前記第１の機能を他のキーに割り当てる制御部と
を有する携帯電子機器。
【請求項２】
前記制御部は、前記第１の機能を他のキーに割り当てる場合、前記第１の機能を割り当てるキーを選択させる請求項１に記載の携帯電子機器。
【請求項３】
前記制御部は、前記第１の機能を割り当てるキーとして、他の機能が割り当てられていないキーが選択された場合には、当該選択されたキーに前記第１の機能をそのまま割り当てる請求項２に記載の携帯電子機器。
【請求項４】
前記制御部は、前記第１の機能を割り当てるキーとして、他の機能が割り当てられているキーが選択された場合には、当該選択されたキーに前記第１の機能を強制的に割り当てる請求項２に記載の携帯電子機器。
【請求項５】
操作を受け付ける複数のキーを有する携帯電子機器によって実行される制御方法であって、
第１の機能が割り当てられたキーに、第２の機能を割り当てる操作を受け付けた場合には、前記第１の機能を他のキーに割り当てるステップを含む制御方法。
【請求項６】
操作を受け付ける複数のキーを有する携帯電子機器に、
第１の機能が割り当てられたキーに、第２機能を割り当てる操作を受け付けた場合には、前記第１の機能を他のキーに割り当てるステップを実行させる制御プログラム。
【発明の詳細な説明】
【技術分野】
【０００１】
本出願は、携帯電子機器、制御方法及び制御プログラムに関する。
【背景技術】
【０００２】
近年、携帯電話およびスマートフォンなどの携帯電子機器には、多種多様な機能が搭載されるようになってきている。一方で、携帯電子機器に設けられるキーの数は限られていることから、搭載される機能を実行するためのキー操作が複雑化する傾向にある。この点に鑑み、搭載される機能を簡便に実行するためのキーを有する携帯電子機器の開発も進められている。例えば、特許文献１には、ワンタッチで発信する機能を有するワンタッチ発信キーを有する携帯電話が記載されている。この携帯電話は、操作者がワンタッチ発信キーをワンタッチ操作すると、ワンタッチ発信キーに対応する電話番号に対して発信する。
【先行技術文献】
【特許文献】
【０００３】
【特許文献１】特開２００７−１２４７１６号公報
【発明の概要】
【発明が解決しようとする課題】
【０００４】
携帯電話およびスマートフォンなどの携帯電子機器のユーザは、携帯電子機器に搭載される機能を個別にカスタマイズして利用するのが一般的である。例えば、上記特許文献１では、ワンタッチ発信キーにより、特定の電話番号に対して簡便に電話発信を行えるようにカスタマイズすることができる。しかしながら、携帯電子機器に搭載される機能は多種多様であり、携帯電子機器に設けられるキーの数も限られている。よって、携帯電話に搭載される機能をカスタマイズして利用するための設定操作自体が複雑となってしまう場合が多い。その結果、ユーザによっては、携帯電話に搭載される機能をカスタマイズして利用するための設定操作を避けてしまう場合があり、ユーザにとって不利益が大きい。
【０００５】
このようなことから、携帯電子機器に搭載される機能に関する設定をできるだけ簡便に行うことができるようにする携帯電子機器、制御方法及び制御プログラムに対する必要性がある。
【課題を解決するための手段】
【０００６】
１つの態様に係る携帯電子機器は、操作を受け付ける複数のキーと、第１の機能が割り当てられたキーに、第２の機能を割り当てる操作を受け付けた場合には、前記第１機能を他のキーに割り当てる制御部とを有する。
【０００７】
１つの態様に係る制御方法は、操作を受け付ける複数のキーを有する携帯電子機器によって実行される制御方法であって、第１の機能が割り当てられたキーに、第２の機能を割り当てる操作を受け付けた場合には、前記第１の機能を他のキーに割り当てるステップを含む。
【０００８】
１つの態様に係る制御プログラムは、操作を受け付ける複数のキーを有する携帯電子機器に、第１の機能が割り当てられたキーに、第２の機能を割り当てる操作を受け付けた場合には、前記第１の機能を他のキーに割り当てるステップを実行させる。
【図面の簡単な説明】
【０００９】
【図１】図１は、本実施形態に係る携帯電話の外観を示す正面図である。
【図２】図２は、本実施形態に係る携帯電話の機能構成を示すブロック図である。
【図３】図３は、ワンタッチキー管理データの一例を示す図である。
【図４】図４は、使用初期などに携帯電話１により実行されるかんたん設定機能による制御の一例を示す図である。
【図５】図５は、長持ちモード機能の設定時における画面の表示例を示す図である。
【図６】図６は、長持ちモード機能の設定時における画面の表示例を示す図である。
【図７】図７は、使用初期などに携帯電話１により実行されるかんたん設定機能による制御の一例を示す図である。
【図８】図８は、ワンタッチキーに対して新規に機能を割り当てる場合の制御の一例を示す図である。
【図９】図９は、ワンタッチキーに割り当てられている機能を変更する場合の制御の一例を示す図である。
【図１０】図１０は、ワンタッチキーに割り当てられている機能を変更するとともに、変更前にワンタッチキーに割り当てられていた機能を別のキーに移動する場合の制御の一例を示す図である。
【図１１】図１１は、本実施形態に係る携帯電話による制御の流れを示すフローチャートである。
【図１２】図１２は、本実施形態に係る携帯電話による制御の流れを示すフローチャートである。
【図１３】図１３は、本実施形態に係る携帯電話による制御の流れを示すフローチャートである。
【図１４】図１４は、本実施形態に係る携帯電話による制御の流れを示すフローチャートである。
【発明を実施するための形態】
【００１０】
本発明を実施するための実施形態を、図面を参照しつつ詳細に説明する。以下では、本発明に係る携帯電子機器の一例として、携帯電話について説明する。
【００１１】
（実施形態）
図１は、本実施形態に係る携帯電話の外観を示す正面図である。図１に示す携帯電話１は、筐体１Ｃが開閉可能に構成された、いわゆる折り畳み式の携帯電話である。
【００１２】
筐体１Ｃは、第１筐体１ＣＡと第２筐体１ＣＢとで構成される。第１筐体１ＣＡと第２筐体１ＣＢとは、ヒンジ１８で連結されている。第１筐体１ＣＡ及び第２筐体１ＣＢは、ヒンジ１８を中心として、互いに遠ざかる方向、あるいは互いに接近する方向に回動する。第１筐体１ＣＡと第２筐体１ＣＢとが互いに遠ざかる方向に回動する場合、図１に示すように、携帯電話１は開いた状態となる。一方、第１筐体１ＣＡと第２筐体１ＣＢとが互いに接近する方向に回動する場合、携帯電話１は閉じた状態となる。
【００１３】
図１に示すように、第１筐体１ＣＡには、ディスプレイ２Ｍが設けられる。ディスプレイ２Ｍは、いわゆる待受画面４０を表示したり、携帯電話１の操作を補助するために用いられるメニュー画面を表示したりする。待受画面４０とは、電話の発着信を待ち受けている状態の画面、またはアプリケーションの起動を待ち受けている状態の画面などである。
【００１４】
図１に示すように、第１筐体１ＣＡには、ディスプレイ２Ｍのヒンジ１８側に、第１ワンタッチキー４ａ、第２ワンタッチキー４ｂ及び第３ワンタッチキー４ｃの３つのワンタッチキー４が、第１筐体１ＣＡの幅方向（短手方向）に並べて設けられている。第１ワンタッチキー４ａ、第２ワンタッチキー４ｂ及び第３ワンタッチキー４ｃには、それぞれ、「１」、「２」、「３」の番号が付されている。ディスプレイ２Ｍには、第１ワンタッチキー４ａ、第２ワンタッチキー４ｂ及び第３ワンタッチキー４ｃに、それぞれ割り当てられている機能に対応するアイコンなどを表示するための表示領域１０ａ、１０ｂおよび１０ｃが設けられる。図１に示すワンタッチキー４の数、及びワンタッチキー４に付される数字は一例であり、図１に示す場合には限定されない。
【００１５】
ディスプレイ２Ｍとヒンジ１８との間に設けられた３つのワンタッチキー４は、ユーザによるワンタッチ操作で、携帯電話１に搭載されている各種機能（アプリケーション）を簡単に実行させるものである。ワンタッチキー４に割り当てられた各種アプリケーション機能は、ワンタッチキー４に対するワンタッチ操作により実行される。ワンタッチキー４に割り当てられるアプリケーションには、例えば、通話（発信）、メール、カメラ、カレンダー、スケジュール、目覚まし時計、赤外線通信、電卓、メモ帳、音声認識、漢字チェックなどが含まれる。さらに、ワンタッチ操作により実行できる機能として、携帯電話１の使用初期などに実行される携帯電話１に設けられた複数の便利機能の設定を簡易に行うための機能（以下、かんたん設定機能）がワンタッチキー４に割り当てられる。便利機能には、例えば、はっきり通話機能、文字サイズ変更機能、長持ちモード機能などが含まれる。これらに例示される複数の便利機能は、機能設定を行う通常操作によっても個別に設定を行うことが可能である。はっきり通話機能は、年齢に応じて変化する利用者の可聴範囲に合わせて、通話時の音声を聞き取り易いように設定するための機能である。文字サイズ変更機能は、ディスプレイ２Ｍに表示される文字のフォントサイズを見やすい大きさに変更するための機能である。長持ちモード機能は、電池（電力）の消耗を抑えるように設定するための機能である。
【００１６】
図１に示すように、第１筐体１ＣＡには、通話時に、相手の音声を出力するレシーバ６が設けられる。レシーバ６は、音声処理部３０から送り出された音信号を音として出力する。
【００１７】
一方、図１に示すように、第２筐体１ＣＢには、利用者が文字および数字などの入力を行うための複数のテンキーで構成されるダイヤルキー３ａが設けられる。第２筐体１ＣＢには、ディスプレイ２Ｍに表示されるメニューの選択、及びカーソルの移動方向などを入力するためのカーソルキー３ｂが設けられる。第２筐体１ＣＢには、決定操作を入力するための決定キー３ｃが設けられる。第２筐体１ＣＢには、アプリケーションの起動操作を入力するための機能キー３ｄが設けられる。本実施形態では、カーソルキー３ｂの一部が、機能キー３ｄの役割も兼ねている。ダイヤルキー３ａ、カーソルキー３ｂ、決定キー３ｃ、機能キー３ｄ及びワンタッチキー４は、後述するように、携帯電話１の操作部２８（図２参照）を構成する。
【００１８】
図１に示すように、第２筐体１ＣＢには、通話時などに、利用者の声などを入力するマイク５が設けられる。マイク５は、入力する利用者の声等を音信号へ変換して音声処理部３０に送り出す。
【００１９】
次に、携帯電話１の機能構成の一例を説明する。図２は、本実施形態に係る携帯電話の機能構成を示すブロック図である。図２に示すように携帯電話１は、記憶部２２と、制御部２４と、通信部２６と、操作部２８と、音声処理部３０と、表示部３２と、表示制御部３４と、カメラ３６とを有する。
【００２０】
記憶部２２は、プログラム及びデータを記憶する。記憶部２２は、制御部２４の処理結果を一時的に記憶する作業領域としても利用される。記憶部２２は、半導体記憶媒体、及び磁気記憶媒体等の任意の非一過的（ｎｏｎ−ｔｒａｎｓｉｔｏｒｙ）な記憶媒体を含んでよい。記憶部２２は、複数の種類の記憶媒体を含んでよい。記憶部２２は、メモリカード、光ディスク、又は光磁気ディスク等の可搬の記憶媒体と、記憶媒体の読み取り装置との組み合わせを含んでよい。記憶部２２は、ＲＡＭ（Ｒａｎｄｏｍ  Ａｃｃｅｓｓ  Ｍｅｍｏｒｙ）等の一時的な記憶領域として利用される記憶デバイスを含んでよい。
【００２１】
本実施形態において、記憶部２２は、図２に示すように、ワンタッチキー制御プログラム２２ａ及びワンタッチキー管理データ２２ｂを記憶する。
【００２２】
ワンタッチキー制御プログラム２２ａは、かんたん設定機能が割り当てられたワンタッチキー４に、他の機能を割り当てる操作を受け付けた場合には、かんたん設定機能を他のキーに割り当てる制御を実行するための機能を提供する。例えば、ワンタッチキー制御プログラム２２ａは、かんたん設定機能を他のキーに割り当てる場合、機能の割り当てが行われていないワンタッチキー４、あるいはダイヤルキー３ａに含まれるテンキーにかんたん設定機能を割り当てる制御を実行するための機能を提供する。ワンタッチキー制御プログラム２２ａは、かんたん設定機能を他のワンタッチキー４に割り当てる場合、他のワンタッチキー４に他の機能が割り当て済みであっても、かんたん設定を上書きして強制的に割り当てる制御を実行するための機能を提供する。
【００２３】
ワンタッチキー管理データ２２ｂは、ワンタッチキー４に対する機能の割り当てを管理するためのデータである。図３は、ワンタッチキー管理データの一例を示す図である。図３に示すように、ワンタッチキー管理データ２２ｂは、第１ワンタッチキー４ａ、第２ワンタッチキー４ｂ及び第３ワンタッチキー４ｃのそれぞれに、どのような機能が割り当てられているかを示すデータを含んで構成される。例えば、図３に示すワンタッチキー管理データ２２ｂの例では、第１ワンタッチキー４ａに、かんたん設定機能が割り当てられており、第２ワンタッチキー４ｂ及び第３ワンタッチキー４ｃには機能が割り当てられていない。利用者は、第１ワンタッチキー４ａを操作（ワンタッチ操作）することで、かんたん設定機能を簡易に実行することができる。
【００２４】
制御部２４は、演算処理装置である。演算処理装置は、例えば、ＣＰＵ（Ｃｅｎｔｒａｌ  Ｐｒｏｃｅｓｓｉｎｇ  Ｕｎｉｔ）、ＳｏＣ（Ｓｙｓｔｅｍ−ｏｎ−ａ−ｃｈｉｐ）、ＭＣＵ（Ｍｉｃｒｏ  Ｃｏｎｔｒｏｌ  Ｕｎｉｔ）、及びＦＰＧＡ（Ｆｉｅｌｄ−Ｐｒｏｇｒａｍｍａｂｌｅ  Ｇａｔｅ  Ａｒｒａｙ）を含むが、これらに限定されない。制御部２４は、携帯電話１の動作を統括的に制御して各種の機能を実現する。
【００２５】
具体的には、制御部２４は、記憶部２２に記憶されているデータを必要に応じて参照しつつ、記憶部２２に記憶されているプログラム（又はアプリケーション）に含まれる命令を実行する。制御部２４は、データ及び命令に応じて機能部を制御し、携帯電話１は、制御部２４の制御によって各種機能を実現する。機能部は、例えば、マイク５、レシーバ６、通信部２６、音声処理部３０、表示部３２、表示制御部３４を含むが、これらに限定されない。制御部２４は、検出部の検出結果に応じて、制御を変更することがある。検出部は、例えば、マイク５、通信部２６及び操作部２８を含むが、これらに限定されない。
【００２６】
本実施形態において、制御部２４は、上記ワンタッチキー制御プログラム２２ａを記憶部２２から読込んで実行することにより、かんたん設定機能が割り当てられたワンタッチキー４に、他の機能を割り当てる操作を受け付けた場合には、かんたん設定機能を他のキーに割り当てる制御を実行する。制御部２４は、上記ワンタッチキー制御プログラム２２ａを記憶部２２から読込んで実行することにより、かんたん設定機能を他のキー４に割り当てる場合、機能の割り当てが行われていないキーにかんたん設定機能を割り当てる制御を実行する。制御部２４は、上記ワンタッチキー制御プログラム２２ａを記憶部２２から読込んで実行することにより、かんたん設定機能を他のワンタッチキー４に割り当てる場合、他のワンタッチキー４に他の機能が割り当て済みであっても、かんたん設定を上書きして強制的に割り当てる制御を実行する。
【００２７】
本実施形態において、制御部２４がプログラム（又はアプリケーション）を実行する場合には、プログラムを起動する場合と、中断中のプログラムを再開する場合と、起動済のプログラムの処理を継続する場合とが含まれる。本実施形態において、制御部２４がプログラム（又は、アプリケーション）を起動する場合には、記憶部２２に記憶されているプログラムを新たに読み出してその処理を開始する場合と、既に読み出されているプログラムの処理を新たに開始する場合とが含まれる。
【００２８】
通信部２６は、公衆回線ネットワークなどのネットワークを通じて、データの送受信、通話などの通信を行うことができるように構成されている。通信部２６がサポートする通信規格には、例えば、２Ｇ、３Ｇ、４Ｇ等のセルラーフォンの通信規格がある。セルラーフォンの通信規格としては、例えば、ＬＴＥ（Ｌｏｎｇ  Ｔｅｒｍ  Ｅｖｏｌｕｔｉｏｎ）、Ｗ−ＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）、ＣＤＭＡ２０００、ＰＤＣ（Ｐｅｒｓｏｎａｌ  Ｄｉｇｉｔａｌ  Ｃｅｌｌｕｌａｒ）、ＧＳＭ（登録商標）（Ｇｌｏｂａｌ  Ｓｙｓｔｅｍ  ｆｏｒ  Ｍｏｂｉｌｅ  Ｃｏｍｍｕｎｉｃａｔｉｏｎｓ）、ＰＨＳ（Ｐｅｒｓｏｎａｌ  Ｈａｎｄｙ−ｐｈｏｎｅ  Ｓｙｓｔｅｍ）等がある。通信部２６は、上述した通信規格の１つ又は複数をサポートしていてもよい。
【００２９】
操作部２８は、上述したように、ダイヤルキー３ａ、カーソルキー３ｂ、決定キー３ｃ、機能キー３ｄ、及びワンタッチキー４とで構成される。操作部２８は、ユーザの操作によりキーの入力を受け付けると、入力された操作内容に対応する信号を発生させる。発生した信号は、制御部２４に入力される。
【００３０】
音声処理部３０は、マイク５に入力される音声信号及びレシーバ６から出力される音声信号の処理を実行する。音声処理部３０は、マイク５から送られる音信号を処理し、制御部２４に送る。音声処理部３０は、制御部２４から送り出される音信号を処理し、レシーバ６へ送る。
【００３１】
表示部３２は、制御部２４から表示制御部３４を介して供給されるコンテンツデータ（動画像、静止画像など）に応じた画像を上記ディスプレイ２Ｍに表示させる。ディスプレイ２Ｍは、液晶ディスプレイ（Ｌｉｑｕｉｄ  Ｃｒｙｓｔａｌ  Ｄｉｓｐｌａｙ）、有機ＥＬ（Ｏｒｇａｎｉｃ  Ｅｌｅｃｔｒｏ−Ｌｕｍｉｎｅｓｃｅｎｃｅ）などで構成される。
【００３２】
カメラ３６は、撮影した画像を電気信号へ変換する。カメラ３６には、例えば、ディスプレイ２Ｍに面している物体を撮影するインカメラ、ディスプレイ２Ｍの反対側の面に面している物体を撮影するアウトカメラが含まれる。
【００３３】
続いて、図４〜図１０を用いて、本実施形態に係る携帯電話１により実行される制御の一例について説明する。
【００３４】
図４〜図７を用いて、使用初期などに携帯電話１により実行されるかんたん設定機能による制御の一例を説明する。図４及び図７は、使用初期などに携帯電話１により実行されるかんたん設定機能による制御の一例を示す図である。図５及び図６は、長持ちモード機能の設定時における画面の表示例を示す図である。使用初期とは、例えば、携帯電話１が購入されてから初めて起動されるときを含む使用期間が短い頃が該当する。携帯電話１の第１ワンタッチキー４ａには、かんたん設定機能が予め割り当てられており、初回起動時には、第１ワンタッチキー４ａに対する操作でかんたん設定機能を実行可能な状態となっている。以下、はっきり通話機能、文字サイズ変更機能、長持ちモード機能などの設定を行うときの制御を「かんたん設定」と表記する場合がある。以下の説明において、携帯電話１は、“戻る”が操作された場合、１つ前のステップに対応する制御を実行するが、説明を省略する場合がある。
【００３５】
図４に示すように、携帯電話１は、電源が投入されると、ディスプレイ２Ｍに待受画面４０を表示する（ステップＳ１１）。待受画面４０には、第１ワンタッチキー４ａに対応する表示領域１０ａに、第１ワンタッチキー４ａにかんたん設定が割り当てられていることを示す表示がされている。図４では、かんたん設定の割り当てを示す表示として機能名を採用している。
【００３６】
続いて、携帯電話１は、第１ワンタッチキー４ａに対する操作を受け付けると（ステップＳ１１）、かんたん設定の画面４１ａをディスプレイ２Ｍに表示する（ステップＳ１２）。かんたん設定の画面４１ａには、設定可能な機能として、「はっきり通話機能」、「文字サイズ変更機能」、「長持ちモード機能」が選択可能な状態で表示される。利用者は、カーソルキー３ｂでカーソルを移動させ、決定キー３ｃで選択してカーソル位置を確定することにより、カーソル位置に対応する「はっきり通話機能」、「文字サイズ変更機能」、「長持ちモード機能」のいずれかを選択できる。
【００３７】
携帯電話１は、かんたん設定の画面４１ａにおいて、カーソルが“はっきり通話”を指定した状態で“ＯＫ”が操作されると、はっきり通話機能の設定開始画面４２ａをディスプレイ２Ｍに表示する（ステップＳ１３）。携帯電話１は、設定開始画面４２ａがディスプレイ２Ｍに表示された状態で、“戻る”が操作された場合には、ステップＳ１１に戻り、待受画面４０をディスプレイ２Ｍに表示する。
【００３８】
携帯電話１は、設定開始画面４２ａにおいて、“ＯＫ”が操作されると、音のパターンの選択を指示する画面４２ｂをディスプレイ２Ｍに表示する（ステップＳ１４）。続いて、携帯電話１は、画面４２ｂにおいて、“ＯＫ”の選択を受け付けると、音のパターンの一覧を表示する画面４２ｃをディスプレイ２Ｍに表示する（ステップＳ１５）。画面４２ｃには、選択可能なパターンとして、「ＯＦＦ」、「パターン１〜５」が選択可能な状態で表示される。利用者は、カーソルキー３ｂでカーソルを移動させ、決定キー３ｃでカーソル位置を確定することにより、カーソル位置に対応する「ＯＦＦ」、「パターン１〜５」のいずれかを選択できる。
【００３９】
携帯電話１は、画面４２ｃにおいて、“ＯＫ”の選択を受け付けると、はっきり通話機能の設定を完了し、続いて、文字サイズ変更機能の設定開始画面４３ａをディスプレイ２Ｍに表示する（ステップＳ１６）。携帯電話１は、設定開始画面４３ａがディスプレイ２Ｍに表示された状態で、“戻る”が操作された場合には、ステップＳ１５に戻り、画面４２ｃをディスプレイ２Ｍに表示する。
【００４０】
携帯電話１は、画面４３ａにおいて、“ＯＫ”の選択を受け付けると、文字サイズの一覧を表示する画面４３ｂをディスプレイ２Ｍに表示する（ステップＳ１７）。画面４３ｂには、選択可能な文字サイズとして、中、大、極大が選択可能な状態で表示される。利用者は、カーソルキー３ｂでカーソルを移動させ、決定キー３ｃでカーソル位置を確定することにより、カーソル位置に対応する中、大、極大のいずれかを選択できる。
【００４１】
携帯電話１は、画面４３ｂにおいて、“ＯＫ”の選択を受け付けると、文字サイズ変更機能の設定を完了し、続いて、長持ちモード機能の設定開始画面４４ａをディスプレイ２Ｍに表示する（ステップＳ１８）。携帯電話１は、設定開始画面４４ａがディスプレイ２Ｍに表示された状態で、“戻る”が操作された場合には、ステップＳ１７に戻り、画面４３ｂをディスプレイ２Ｍに表示する。
【００４２】
携帯電話１は、画面４４ａにおいて、“ＯＫ”の選択を受け付けると、動作パターンの一覧を表示する画面４４ｂをディスプレイ２Ｍに表示する（ステップＳ１９）。画面４４ｂには、選択可能な動作パターンとして、光センサー連携、一括設定、解除が選択可能な状態で表示される。利用者は、カーソルキー３ｂでカーソルを移動させ、決定キー３ｃでカーソル位置を確定することにより、カーソル位置に対応する光センサー連携、一括設定、解除のいずれかを選択できる。携帯電話１は、“光センサー連携”の位置にカーソルが移動した場合には、図４に示すように、光センサー連携の動作説明を画面４４ｂに表示させる。携帯電話１は、“一括設定”の位置にカーソルが移動した場合には、図５に示すように、一括設定の動作説明を画面４４ｂに表示させる。携帯電話１は、“解除”の位置にカーソルが移動した場合には、図６に示すように、解除の動作説明を画面４４ｂに表示させる。
【００４３】
携帯電話１は、画面４４ｂにおいて、“ＯＫ”の選択を受け付けると、図７に示すように、かんたん設定の完了画面４５をディスプレイ２Ｍに表示する（ステップＳ２０）。完了画面４５には、第１ワンタッチキー４ａに対するかんたん設定機能の割り当てを解除するか否かのメッセージとともに、割り当て解除（「はい」）、割り当て非解除（「いいえ」）のいずれかが選択可能な状態で表示される。使用初期などにおいて、かんたん設定を利用する可能性が低いと感じる利用者に対応する趣旨である。すなわち、第１ワンタッチキー４ａに対するかんたん設定機能の割り当てを解除することにより、第１ワンタッチキー４ａを他の機能をワンタッチ操作で実行するために利用することが可能となる。
【００４４】
携帯電話１は、画面４５において、“はい”の選択を受け付けると、図７に示すように、第１ワンタッチキー４ａに対するかんたん設定機能の割り当てを解除し、待受画面４０をディスプレイ２Ｍに表示する（ステップＳ２１Ａ）。一方、携帯電話１は、完了画面４５において、“いいえ”の選択を受け付けると、図７に示すように、第１ワンタッチキー４ａに対するかんたん設定機能の割り当てを解除せずに、待受画面４０をディスプレイ２Ｍに表示する（ステップＳ２１Ｂ）。
【００４５】
図８は、ワンタッチキー４に対して新規に機能を割り当てる場合の制御の一例を示す図である。以下、ワンタッチキー４などのキーに対して新規に機能を割り当てるときの制御、及びワンタッチキー４などのキーに割り当てられている機能を変更するときの制御を「ワンタッチ機能設定」と表記する場合がある。
【００４６】
図８に示すように、携帯電話１は、第１ワンタッチキー４ａに対する操作を受け付けると（ステップＳ３１）、ワンタッチ機能設定の開始画面５０ａをディスプレイ２Ｍに表示する（ステップＳ３２）。
【００４７】
開始画面５０ａには、ワンタッチ機能設定の内訳として、「待受表示設定」、「登録機能変更」、「登録機能解除」が選択可能な状態で表示される。待受表示設定は、ワンタッチキー４ごとに、待受画面４０に設けられる表示領域１０の表示設定を行うための機能である。待受画面４０には、表示領域１０として、第１ワンタッチキー４ａ、第２ワンタッチキー４ｂ及び第３ワンタッチキー４ｃのそれぞれに対応する表示領域１０ａ〜１０ｃが設けられる。待受表示設定により、ワンタッチキー４に割り当てる機能名、ワンタッチキー４に割り当てる機能に対応するアイコンなどの表示態様の選択が可能となる。登録機能変更は、第１ワンタッチキー４ａ、第２ワンタッチキー４ｂ及び第３ワンタッチキー４ｃに割り当てられている機能を変更したり、新規に割り当てたりするための機能である。登録機能解除は、第１ワンタッチキー４ａ、第２ワンタッチキー４ｂ及び第３ワンタッチキー４ｃに対する機能の割り当てを解除するための機能である。ワンタッチ機能とは、上述したように、ワンタッチキー４に対するワンタッチ操作により、ワンタッチキー４に割り当てられている機能（アプリケーション）を簡易に実行する機能である。
【００４８】
携帯電話１は、開始画面５０ａにおいて、カーソルが“登録機能変更”を指定した状態で“選択”が操作されると、第１ワンタッチキー４ａに割り当てることができる機能（アプリケーション）の一覧画面５０ｂをディスプレイ２Ｍに表示する（ステップＳ３３）。一覧画面５０ｂには、例えば、カメラ（を使う）、聞こえアシスト、カレンダー、スケジュール、目覚まし時計、赤外線、電卓、メモ帳、音声認識（開始）、漢字チェックなどの機能（アプリケーション）が選択可能な状態で表示される。
【００４９】
携帯電話１は、一覧画面５０ｂにおいて、カーソルが“カメラを使う”を指定した状態で“選択”が操作されると、第１ワンタッチキー４ａに対するカメラ３６の機能の割り当てを決定し、続いて、待受画面４０に機能名を表示するか否かを利用者に問合せる画面５０ｃをディスプレイ２Ｍに表示する（ステップＳ３４）。以後、説明は省略するが、携帯電話１は、画面５０ｃにおいて機能名の表示、あるいはアイコン表示などの選択を受け付けると、第１ワンタッチキー４ａに対するカメラ３６の機能の割り当てを完了する。そして、携帯電話１は、待受画面４０の表示領域１０ａに、第１ワンタッチキー４ａに割り当てられたカメラ３６の機能に対応する機能名あるいはアイコンを表示させる。
【００５０】
図９は、ワンタッチキー４に割り当てられている機能を変更する場合の制御の一例を示す図である。図９は、第１ワンタッチキー４ａに対して割り当てられているかんたん設定機能からカメラ機能に変更する場合の制御の一例を示している。
【００５１】
図９に示すように、携帯電話１は、第１ワンタッチキー４ａに対する操作を受け付けると（ステップＳ４１）、第１ワンタッチキー４ａに割り当てられているかんたん設定機能を起動するか否かを確認するための画面４６をディスプレイ２Ｍに表示する（ステップＳ４２）。画面４６には、かんたん設定機能を実行する場合に選択する「はい」、実行しない場合に選択する「いいえ」、第１ワンタッチキー４ａに割り当てられている機能に関する処理を実行する場合に選択する「変更」が選択可能な状態で表示される。
【００５２】
携帯電話１は、画面４６において、“変更”が操作されると、ワンタッチ機能設定の開始画面５０ａをディスプレイ２Ｍに表示する（ステップＳ４３）。ステップＳ４３における開始画面５０ａは、図８に示す画面５０ａに対応する。
【００５３】
携帯電話１は、開始画面５０ａにおいて、カーソルが“登録機能変更”を指定した状態で“選択”が操作されると、第１ワンタッチキー４ａに割り当てることが可能な機能（アプリケーション）の一覧画面５０ｂをディスプレイ２Ｍに表示する（ステップＳ４４）。ステップＳ４４における一覧画面５０ｂは、図８に示す画面５０ｂに対応する。
【００５４】
携帯電話１は、一覧画面５０ｂにおいて、カーソルが“カメラを使う”を指定した状態で“選択”が操作されると、カメラ３６の機能を第１ワンタッチキー４ａに対する割り当て候補として決定し、第１ワンタッチキー４ａに既に割り当て済みであるかんたん設定機能を解除するか否かを確認するための画面５０ｄをディスプレイ２Ｍに表示する（ステップＳ４５）。画面５０ｄには、かんたん設定機能を解除する場合に選択する「解除する」、かんたん設定機能を解除しない場合に選択する「解除しない」、かんたん設定機能を別のキーに移動させる場合に選択する「別のキーに移動」が選択可能な状態で表示される。
【００５５】
携帯電話１は、画面５０ｄにおいて、カーソルが“解除する”を指定した状態で“選択”が操作されると、第１ワンタッチキー４ａに対するかんたん設定機能の割り当てを解除して、第１ワンタッチキー４ａに対するカメラ３６の機能の割り当てを決定し、続いて、待受画面４０に機能名を表示するか否かを利用者に問合せる画面５０ｃをディスプレイ２Ｍに表示する（ステップＳ４６）。ステップＳ４６における画面５０ｃは、図８に示す画面５０ｃに対応する。
【００５６】
図１０は、ワンタッチキー４に割り当てられている機能を変更するとともに、変更前にワンタッチキー４に割り当てられていた機能を別のキーに移動する場合の制御の一例を示す図である。図１０は、第１ワンタッチキー４ａに対して割り当てられているかんたん設定機能からカメラ機能に変更し、かんたん設定機能を別のキーに割り当てる場合の制御の一例を示している。
【００５７】
図１０に示すように、携帯電話１は、第１ワンタッチキー４ａに対する操作を受け付けると（ステップＳ５１）、第１ワンタッチキー４ａに割り当てられているかんたん設定機能を起動するか否かを確認するための画面４６をディスプレイ２Ｍに表示する（ステップＳ５２）。ステップＳ５１において、第２ワンタッチキー４ｂには、計算機アプリケーションが割り当てられており、待受画面４０の表示領域１０ｂには計算機アプリケーションのアイコンが表示されている。ステップＳ５１において、第３ワンタッチキー４ｃには、カレンダーアプリケーションが割り当てられており、待受画面４０の表示領域１０ｃにはカレンダーアプリケーションのアイコンが表示されている。ステップＳ５２における画面４６は、図９の画面４６に対応する。
【００５８】
携帯電話１は、画面４６において、“変更”が操作されると、ワンタッチ機能設定の開始画面５０ａをディスプレイ２Ｍに表示する（ステップＳ５３）。ステップＳ５３における画面５０ａは、図８に示す画面５０ａに対応する。
【００５９】
携帯電話１は、開始画面５０ａにおいて、カーソルが“登録機能変更”を指定した状態で“選択”が操作されると、第１ワンタッチキー４ａに割り当てることができる機能（アプリケーション）の一覧画面５０ｂをディスプレイ２Ｍに表示する（ステップＳ５４）。ステップＳ５４における画面５０ｂは、図８に示す画面５０ｂに対応する。
【００６０】
携帯電話１は、一覧画面５０ｂにおいて、カーソルが“カメラを使う”を指定した状態で“選択”が操作されると、カメラ３６の機能を第１ワンタッチキー４ａに対する割り当て候補として決定し、第１ワンタッチキー４ａに既に割り当て済みであるかんたん設定機能を解除するか否かを確認するための画面５０ｄをディスプレイ２Ｍに表示する（ステップＳ５５）。ステップＳ５５における画面５０ｄは、図９に示す画面５０ｄに対応する。
【００６１】
携帯電話１は、画面５０ｄにおいて、“解除する”が選択されると、第１ワンタッチキー４ａに対するかんたん設定機能の割り当てを解除して、第１ワンタッチキー４ａに対するカメラ３６の機能の割り当てを決定する。携帯電話１は、かんたん設定機能の移動先を選択させるための画面５０ｅをディスプレイ２Ｍに表示する（ステップＳ５６）。画面５０ｅには、第１ワンタッチキー４ａ、第２ワンタッチキー４ｂ及び第３ワンタッチキー４ｃの全てに対して、機能が割り当て済みである旨のメッセージが表示される。画面５０ｅには、第２ワンタッチキー４ｂに対して、かんたん設定機能を上書きして強制的に割り当てる場合に選択する「キー４ｂに上書きする」、第３ワンタッチキー４ｃに対して、かんたん設定機能を上書きして強制的に割り当てる場合に選択する「キー４ｃに上書きする」、ダイヤルキー３ａを構成するキーのいずれかに対して、かんたん設定機能を移動させて割り当てる場合に選択する「テンキーに登録する」、第１ワンタッチキー４ａに対するかんたん設定機能の割り当てを解除および移動を中止する場合に選択する「中止」が選択可能な状態で表示される。「中止」が操作された場合、携帯電話１は、第１ワンタッチキー４ａに対するかんたん設定機能の割り当てを解除および移動を中止して、ステップＳ５１に戻り、待受画面４０をディスプレイ２Ｍに表示する。
【００６２】
携帯電話１は、カーソルが“テンキーに登録する”を指定した状態で“選択”が操作されると、ダイヤルキー３ａを構成する数字７のキーに対して、かんたん設定機能の割り当てを決定し、ダイヤルキー３ａを構成するテンキーのうち「数字７」のキーに対して、かんたん設定機能を割り当てた旨のメッセージを表示する画面５０ｆをディスプレイ２Ｍに表示する（ステップＳ５７）。ステップＳ５７において、携帯電話１は、ダイヤルキー３ａを構成するキーの中から、かんたん設定機能を移動させて割り当てるキーを選択する場合、ランダムに選択してもよいし、利用者に選択させてもよいし、利用者に予め設定させておいてもよい。ステップＳ５７において、携帯電話１は、ダイヤルキー３ａを構成する「数字７」のキーに対して、かんたん設定機能を割り当てる場合、かんたん設定機能を実行するためのキー操作（例えば、長押し、複数回の押下など）も合わせて決定する。ステップＳ５７において、携帯電話１は、ダイヤルキー３ａを構成する「数字７」のキーに対して、かんたん設定機能を割り当てる場合、かんたん設定機能を実行するためのキー操作に応じて、「数字７」のキーを点灯させるなど、表示形態を変更してもよい。このように、携帯電話１は、ダイヤルキー３ａを構成する数字７のキーに対して、かんたん設定機能を移動させて割り当てることができるので、かんたん設定機能を利用者が簡便に使用できる状態を維持することができる。
【００６３】
携帯電話１は、画面５０ｅにおいて、“キー４ｂに上書きする”が選択された場合には、第２ワンタッチキー４ｂに対する計算機アプリケーションの割り当てを解除し、かんたん設定機能を強制的に割り当てる。同様に、携帯電話１は、画面５０ｅにおいて、“キー４ｃに上書きする”が選択された場合には、第３ワンタッチキー４ｃに対するカレンダーアプリケーションの割り当てを解除し、かんたん設定機能を強制的に割り当てる。このように、携帯電話１は、機能が割り当て済みのワンタッチキー４に対して、かんたん設定機能を上書きして強制的に割り当てることができるので、かんたん設定機能を利用者がより簡便に使用できる状態を維持することができる。
【００６４】
図１１〜図１４を用いて、本実施形態に係る携帯電話により実行される制御の流れを説明する。図１１〜図１４は、本実施形態に係る携帯電話による制御の流れを示すフローチャートである。図１１〜図１４に示す制御は、制御部２４が、ワンタッチキー制御プログラム２２ａを記憶部２２から読込んで実行することにより実現される。図１１〜図１４は、かんたん設定機能が第１ワンタッチキー４ａに対して割り当てられている場合の制御の例を示す。
【００６５】
図１１は、携帯電話１の制御部２４により実行される制御の全体的な流れを示す。図１１に示すステップＳ１０１〜ステップＳ１０９は、携帯電話１にて実行されるかんたん設定の制御の流れに対応する。図１１に示すステップＳ１０１〜１０３、ステップＳ１１０、ステップＳ１１１、ステップＳ１０８の制御は、携帯電話１にて実行されるワンタッチ機能設定の制御の流れに対応する。
【００６６】
図１１に示すように、制御部２４は、第１ワンタッチキー４ａに対する操作を検出すると（ステップＳ１０１）、かんたん設定の実行確認画面を表示する（ステップＳ１０２）。ステップＳ１０２の実行確認画面は、例えば、図９に示す画面４６に対応する。
【００６７】
続いて、制御部２４は、かんたん設定の実行が選択されたかを判定する（ステップＳ１０３）。制御部２４は、例えば、上記図９のステップＳ４２に示す画面４６において、“はい”が選択されたかを判定する。
【００６８】
制御部２４は、判定の結果、かんたん設定の実行が選択された場合には（ステップＳ１０３、Ｙｅｓ）、かんたん設定機能を起動して、かんたん設定処理を実行する（ステップＳ１０４）。
【００６９】
かんたん設定処理の完了後、制御部２４は、かんたん設定の割り当て解除画面を表示する（ステップＳ１０５）。ステップＳ１０５の割り当て解除画面は、例えば、図７に示す画面４５に対応する。
【００７０】
続いて、制御部２４は、割り当て解除画面において、かんたん設定の割り当て解除が選択されたかを判定する（ステップＳ１０６）。
【００７１】
制御部２４は、判定の結果、かんたん設定の割り当て解除が選択された場合には（ステップＳ１０６、Ｙｅｓ）、かんたん設定機能が割り当てられているキーに対するかんたん設定機能の割り当てを解除する（ステップＳ１０７）。例えば、ワンタッチキー管理データ２２ｂ（図３参照）において、第１ワンタッチキー４ａに対応付けられているかんたん設定機能のレコードを削除し、ワンタッチキー管理データ２２ｂを更新する。そして、制御部２４は、待受画面４０を表示し（ステップＳ１０８）、図１１に示す制御を終了する。
【００７２】
一方、制御部２４は、判定の結果、かんたん設定の割り当て解除が選択されなかった場合（非解除が選択された場合）には（ステップＳ１０６、Ｎｏ）、かんたん設定機能が割り当てられているキーに対するかんたん設定機能の割り当てを維持する（ステップＳ１０９）。そして、制御部２４は、上記ステップＳ１０８の手順に移る。
【００７３】
上記ステップＳ１０３において、制御部２４は、判定の結果、かんたん設定の実行が選択されなかった場合には（ステップＳ１０３、Ｎｏ）、ワンタッチ機能設定の実行が選択されたかを判定する（ステップＳ１１０）。制御部２４は、例えば、上記図９に示すステップＳ４２に示す画面４６において、“変更”が操作されたかを判定する。
【００７４】
制御部２４は、判定の結果、ワンタッチ機能設定の実行が選択された場合には（ステップＳ１１０、Ｙｅｓ）、ワンタッチ機能設定処理を実行し（ステップＳ１１１）、上記ステップＳ１０８の手順へ移る。
【００７５】
一方、制御部２４は、判定の結果、ワンタッチ機能設定の実行が選択されなかった場合には（ステップＳ１１０、Ｎｏ）、上記ステップＳ１０８の手順へ移り、待受画面４０に戻る。すなわち、制御部２４は、例えば、上記図９のステップＳ４２に示す画面４６において、“いいえ”の選択を受け付けて、待受画面４０に戻る。
【００７６】
図１２は、携帯電話１の制御部２４により実行されるかんたん設定機能による制御の流れを示す。図１２に示す処理は、例えば、上記図４及び図７に示す制御に対応する。
【００７７】
図１２に示すように、制御部２４は、はっきり通話機能の設定を実行する（ステップＳ２０１）。制御部２４は、例えば、上記図４のステップＳ１２〜ステップＳ１５に示すように、通話時の音声を聞き取り易いようにするための機能の設定を実行する。
【００７８】
はっきり通話機能の設定が完了すると、続いて、制御部２４は、文字サイズ変更機能の設定を実行する（ステップＳ２０２）。制御部２４は、例えば、上記図４のステップＳ１６〜ステップＳ１７に示すように、ディスプレイ２Ｍに表示される文字のフォントサイズを見やすい大きさに変更するための機能の設定を実行する。
【００７９】
文字サイズ変更機能の設定が完了すると、続いて、制御部２４は、長持ちモード機能の設定を実行する（ステップＳ２０３）。制御部２４は、例えば、上記図４のステップＳ１８〜上記図４（もしくは図７）のステップＳ１９に示すように、電池（電力）の消耗を抑えるようにするための機能の設定を実行する。
【００８０】
図１３及び図１４は、携帯電話１の制御部２４により実行されるワンタッチ機能設定処理の流れを示す。図１３及び図１４に示す処理は、例えば、上記図９及び図１０に示す制御に対応する。
【００８１】
図１３に示すように、制御部２４は、ワンタッチ機能設定の処理内容が選択されるのを待機する（ステップＳ３０１）。制御部２４は、例えば、上記図９の画面５０ａに示す「待受表示設定」、「登録機能変更」、「登録機能解除」のいずれかが選択されるのを待機する。
【００８２】
続いて、制御部２４は、ステップＳ３０１で選択された処理内容が登録機能変更であるかを判定する（ステップＳ３０２）。制御部２４は、判定の結果、選択された処理内容が登録機能変更である場合には（ステップＳ３０２、Ｙｅｓ）、第１ワンタッチキー４ａに対して割り当てることが可能な機能の一覧画面を表示する（ステップＳ３０３）。ステップＳ３０３の一覧画面は、例えば、図９に示す画面５０ｂに対応する。
【００８３】
続いて、制御部２４は、一覧画面において、第１ワンタッチキー４ａに対して割り当てる機能の選択を受け付けると（ステップＳ３０４）、第１ワンタッチキー４ａに対するかんたん設定機能の割り当てを解除するかを確認するための確認画面を表示する（ステップＳ３０５）。ステップＳ３０５の確認画面は、例えば、図９及び図１０に示す画面５０ｄに対応する。確認画面には、かんたん設定機能を解除する場合に選択する「解除する」、かんたん設定機能を解除しない場合に選択する「解除しない」、かんたん設定機能を別のキーに移動させる場合に選択する「別のキーに移動」が選択可能な状態で表示される。そして、制御部２４は、確認画面において、かんたん設定機能に対する処理内容が選択されるのを待機する（ステップＳ３０６）。
【００８４】
制御部２４は、利用者の選択を受け付けると、選択された処理内容が第１ワンタッチキー４ａに対するかんたん設定機能の割り当ての解除であるかを判定する（ステップＳ３０７）。制御部２４は、判定の結果、かんたん設定機能の割り当ての解除（「解除する」）である場合には（ステップＳ３０７、Ｙｅｓ）、第１ワンタッチキー４ａに対するかんたん設定機能の割り当てを解除する（ステップＳ３０８）。そして、制御部２４は、第１ワンタッチキー４ａに対して、ステップＳ３０４で選択を受け付けた機能の割り当てを実行し（ステップＳ３０９）、ワンタッチ機能設定の制御を終了する。
【００８５】
ステップＳ３０７において、制御部２４は、判定の結果、ステップＳ３０６で選択された処理内容が、かんたん設定機能の割り当ての解除（「解除する」）ではない場合には（ステップＳ３０７、Ｎｏ）、かんたん設定機能の移動であるかを判定する（ステップＳ３１０）。
【００８６】
制御部２４は、判定の結果、かんたん設定機能の移動（「別のキーに移動」）である場合には（ステップＳ３１０、Ｙｅｓ）、利用者により選択されたキーへのかんたん設定機能の割り当てを実行する（ステップＳ３１１）。制御部２４は、例えば、利用者により第２ワンタッチキー４ｂが選択された場合、第２ワンタッチキー４ｂに機能が割り当て済みであっても、第２ワンタッチキー４ｂに対して、かんたん設定機能を上書きして強制的に割り当てる。制御部２４は、例えば、利用者により第３ワンタッチキー４ｃが選択された場合、第３ワンタッチキー４ｃに機能が割り当て済みであっても、第３ワンタッチキー４ｃに対して、かんたん設定機能を上書きして強制的に割り当てる。制御部２４は、例えば、利用者によりテンキーが選択された場合、ダイヤルキー３ａを構成するテンキーのいずれかに対して、かんたん設定機能を移動して割り当てる。かんたん設定機能の移動完了後、制御部２４は、第１ワンタッチキー４ａに対して、ステップＳ３０４で選択を受け付けた機能の割り当てを実行し（ステップＳ３１２）、ワンタッチ機能設定の制御を終了する。
【００８７】
ステップＳ３１０において、制御部２４は、判定の結果、ステップＳ３０６で選択された処理内容が、かんたん設定機能の移動ではない場合には（ステップＳ３１０、Ｎｏ）、例えば、上記図９及び図１０に示す画面５０ｄの「解除しない」が選択されたことになるので、そのまま、ワンタッチ機能設定の制御を終了する。
【００８８】
ステップＳ３０２において、制御部２４は、判定の結果、ステップＳ３０１で選択された処理内容が登録機能変更ではない場合には（ステップＳ３０２、Ｎｏ）、待受表示設定であるかを判定する（ステップＳ３１３）。
【００８９】
制御部２４は、判定の結果、ステップＳ３０１で選択された処理内容が待受表示設定である場合には（ステップＳ３１３、Ｙｅｓ）、待受表示設定処理を実行し（ステップＳ３１４）、ワンタッチ機能設定の制御を終了する。
【００９０】
一方、制御部２４は、判定の結果、ステップＳ３０１で選択された処理内容が待受表示設定ではない場合には（ステップＳ３１３、Ｎｏ）、登録機能解除であるかを判定する（ステップＳ３１５）。
【００９１】
制御部２４は、判定の結果、ステップＳ３０１で選択された処理内容が登録機能解除である場合には（ステップＳ３１５、Ｙｅｓ）、登録機能解除処理を実行し（ステップＳ３１６）、ワンタッチ機能設定の制御を終了する。
【００９２】
一方、制御部２４は、判定の結果、ステップＳ３０１で選択された処理内容が登録機能解除ではない場合には（ステップＳ３１５、Ｎｏ）、上記図９及び図１０に示す画面５０ａの「中止」が選択されたことになるので、そのまま、ワンタッチ機能設定の制御を終了する。
【００９３】
上述してきたように、本実施形態では、携帯電話１が、かんたん設定機能が割り当てられたワンタッチキー４に、他の機能を割り当てる操作を受け付けた場合には、かんたん設定機能を他のキーに割り当てる制御を実行する。具体的には、携帯電話１は、かんたん設定機能の移動先としてテンキーが選択された場合、テンキーのいずれかにかんたん設定機能を移動させて割り当てる。あるいは、携帯電話１は、かんたん設定機能の移動先として第２ワンタッチキー４ｂが選択された場合、第２ワンタッチキー４ｂに別の機能が割り当て済みであっても、第２ワンタッチキー４ｂに対して、かんたん設定機能を上書きして強制的に割り当てる。このように、本実施形態によれば、かんたん設定機能が割り当てられたキーに、他の機能を割り当てる場合であっても、かんたん設定機能を別のキーに割り当てるように制御することにより、かんたん設定機能を利用者が簡便に使用できる状態を可能な限り維持することができる。このようにして、携帯電話１に搭載される便利機能に関する設定をできるだけ簡便に行うことができるようにする。
【００９４】
上記の実施形態では、添付の請求項に係る装置の例として、携帯電話について説明したが、添付の請求項に係る装置は、携帯電話に限定されない。添付の請求項に係る装置は、携帯電話以外の携帯電子機器であってもよい。携帯電子機器は、例えば、タブレット、携帯型パソコン、デジタルカメラ、メディアプレイヤ、電子書籍リーダ、ナビゲータ、及びゲーム機を含むが、これらに限定されない。
【００９５】
添付の請求項に係る技術を完全かつ明瞭に開示するために特徴的な実施形態に関し記載してきた。しかし、添付の請求項は、上記実施形態に限定されるべきものでなく、本明細書に示した基礎的事項の範囲内で当該技術分野の当業者が創作しうるすべての変形例及び代替可能な構成により具現化されるべきである。
【符号の説明】
【００９６】
１  携帯電話
２Ｍ  ディスプレイ
３ａ  ダイヤルキー
３ｂ  カーソルキー
３ｃ  決定キー
３ｄ  機能キー
４    ワンタッチキー
４ａ  第１ワンタッチキー
４ｂ  第２ワンタッチキー
４ｃ  第３ワンタッチキー
５    マイク
６    レシーバ
２２  記憶部
２４  制御部
２６  通信部
２８  操作部
３０  音声処理部
３２  表示部
３４  表示制御部
３６  カメラ
【図１】
2014168166.tif 000003
【図２】
2014168166.tif 000004
【図３】
2014168166.tif 000005
【図４】
2014168166.tif 000006
【図５】
2014168166.tif 000007
【図６】
2014168166.tif 000008
【図７】
2014168166.tif 000009
【図８】
2014168166.tif 000010
【図９】
2014168166.tif 000011
【図１０】
2014168166.tif 000012
【図１１】
2014168166.tif 000013
【図１２】
2014168166.tif 000014
【図１３】
2014168166.tif 000015
【図１４】
2014168166.tif 000016